(57)【要約】【課題】音響変換器の後気室を有する携帯端末の薄型化を容易にする。【解決手段】携帯端末（１）は、筐体（２）に配置された音響部品（３）と、音響部品（３）の後面を覆うように配置された後面蓋体（４）と、後面蓋体（４）と共に音響部品（３）の後気室（５）を構成するリブ（６）と、リブ（６）に対して音響部品（３）と反対側に配置されて音響部品（３）に電気信号を供給する回路基板７とを備える。【選択図】図１
2018064217.tif 000002
【特許請求の範囲】
【請求項１】
電気信号を音に変換するために筐体に配置された音響変換器と、
前記音響変換器の後面を覆うように前記筐体に配置された後面蓋体と、
前記後面蓋体と共に前記音響変換器の後気室を構成するように前記筐体に形成されたリブと、
前記リブに対して前記音響変換器と反対側に配置されて前記音響変換器に前記電気信号を供給する回路基板とを備えたことを特徴とする携帯端末。
【請求項２】
前記音響変換器と前記回路基板とに接続された配線材をさらに備える請求項１に記載の携帯端末。
【請求項３】
前記配線材を通すための切欠きが前記リブに形成される請求項２に記載の携帯端末。
【請求項４】
前記切欠きを塞ぐ弾性部材をさらに備え、
前記配線材を通すためのスリットが前記弾性部材に形成される請求項３に記載の携帯端末。
【発明の詳細な説明】
【技術分野】
【０００１】
本発明は、スピーカ又はレシーバ等の音響変換器の背面側に一定容積に保たれた後気室を形成する携帯端末に関する。
【背景技術】
【０００２】
携帯端末において、音響効果を適正に発揮させるために、スピーカ又はレシーバ等の音響変換器の背面側に一定容積に保たれた後気室なる密閉された空間を形成する構成が従来技術として知られている（特許文献１）。
【０００３】
特許文献１に記載の携帯端末は、前面筐体を備える。この前面筐体には楕円形のリブが形成される。このリブの端面側に回路基板が設けられる。この回路基板とリブとの間にクッション部品が設けられる。そして、回路基板の前面筐体側にレシーバが設けられる。回路基板とリブとクッション部品と前面筐体とにより、レシーバの後気室が形成される。
【先行技術文献】
【特許文献】
【０００４】
【特許文献１】特開2003-143677号公報（2003年5月16日公開）
【発明の概要】
【発明が解決しようとする課題】
【０００５】
しかしながら、上述のような従来技術は、後気室を形成するためにレシーバと回路基板とが携帯端末の厚み方向に積層して載置される。このため、後気室の形成が携帯端末の薄型化の障害になるという問題がある。
【０００６】
本発明の一態様は、音響変換器の後気室を有する携帯端末の薄型化を容易にすることを目的とする。
【課題を解決するための手段】
【０００７】
上記の課題を解決するために、本発明の一態様に係る携帯端末は、電気信号を音に変換するために筐体に配置された音響変換器と、前記音響変換器の後面を覆うように前記筐体に配置された後面蓋体と、前記後面蓋体と共に前記音響変換器の後気室を構成するように前記筐体に形成されたリブと、前記リブに対して前記音響変換器と反対側に配置されて前記音響変換器に前記電気信号を供給する回路基板とを備えたことを特徴とする。
【発明の効果】
【０００８】
本発明の一態様によれば、音響変換器の後気室を有する携帯端末の薄型化が容易になるという効果を奏する。
【図面の簡単な説明】
【０００９】
【図１】実施形態に係る携帯端末の分解斜視図である。
【図２】（ａ）は上記携帯端末を後面側から後面蓋体及び接着部材を外して見た部分後面図であり、（ｂ）は上記携帯端末の部分断面図である。
【図３】上記携帯端末に設けられた音響部品の取り付け状態を示す斜視図である。
【図４】上記携帯端末に設けられた筐体と弾性部材とを説明するための斜視図である。
【図５】上記弾性部材と配線材の構成を示す図である。
【発明を実施するための形態】
【００１０】
以下、本発明の実施の形態について、詳細に説明する。
【００１１】
〔実施形態１〕
図１は実施形態に係る携帯端末１の分解斜視図である。図２（ａ）は携帯端末１を後面側から後面蓋体４及び接着部材１５を外して見た部分後面図であり、（ｂ）は携帯端末１の部分断面図である。
【００１２】
携帯端末１は略平板状の筐体２を備える。筐体２の前面側に表示ユニット１４が設けられる。この表示ユニット１４を覆うように前面蓋体１２が筐体２の前面側に取り付けられる。
【００１３】
筐体２の後面側に、電気信号を音に変換する音響部品３（音響変換器）が配置される。音響部品３の前面側には、音響部品３から出力される音を通すための音道１３が前面蓋体１２及び筐体２に形成される。
【００１４】
音響部品３の後面を覆うように後面蓋体４が筐体２の後面に配置される。後面蓋体４と筐体２との間に接着部材１５が設けられる。
【００１５】
図３は携帯端末１に設けられた音響部品３の取り付け状態を示す斜視図である。後面蓋体４と共に音響部品３の後気室５を構成するリブ６が筐体２の音響部品３の周りに形成される。後気室５は、リブ６と後面蓋体４と筐体２と弾性部材１０と接着部材１５とにより密閉構造となる。
【００１６】
図１及び図２に示すように、音響部品３に電気信号を供給する回路基板７が筐体２に設けられる。この回路基板７は、リブ６に対して音響部品３と反対側に配置される。このように、回路基板７と音響部品３とは筐体２のリブ６を挟んで配置される。従って、回路基板７は、携帯端末１の厚み方向に音響部品３と積層されない位置に設けられる。このように、回路基板７は後気室５から分離して載置される。後気室５は、後面蓋体４とリブ６と筐体２とにより構成される。この結果、音響部品３の後気室５を有する携帯端末１を回路基板７の厚み分薄型化することができる。
【００１７】
図４は携帯端末１に設けられた筐体２と弾性部材１０とを説明するための斜視図である。図５は弾性部材１０と配線材９の構成を示す図である。
【００１８】
音響部品３は、一対の配線材９により回路基板７（図１、図２）と接続される。この一対の配線材９を通すための切欠き８がリブ６に形成される。この切欠き８を塞ぐ位置に配置された直方体状の弾性部材１０が筐体２に設けられる。この弾性部材１０に、一対の配線材９を通すための一対のスリット１１が形成される。このように、後気室５を構成するためのリブ６の一部を切り欠いて配線材９の通路とし、配線材９を通すスリット１１を設けた弾性部材１０で切り欠き８を塞いで密閉する。
【００１９】
図５に示すように、配線材９は弾性部材１０のスリット１１に挟み込まれ、弾性部材１０の弾性により配線材９と弾性部材１０との間の隙間が封止される。
【００２０】
図３に示すように、音響部品３が筐体２のリブ６に囲まれた位置に取り付けられる。後気室５を構成するためのリブ６の切欠き８が弾性部材１０により塞がれる。そして、配線材９は回路基板７から弾性部材１０のスリット１１を通って音響部品３に導かれる。このように配線材９は、弾性部材１０のスリット１１に挟み込むだけなので、配線材９の構成が簡単になり、線処理の作業性が良好になる。
【００２１】
後面蓋体４は、両面テープ等の接着部材１５により筐体２に接着固定され、後気室５を密閉する。
【００２２】
以上のように実施形態１によれば、後面蓋体４と共に音響部品３の後気室５を構成するように筐体２に形成されたリブ６に対して音響部品３と反対側に配置されて音響部品３に電気信号を供給する回路基板７が設けられる。このため、密閉された後気室５を回路基板７と分離することができる。従って、音響部品３と回路基板７とが積層されない。この結果、音響部品３の後気室５を有する携帯端末１の薄型化が容易になる。
【００２３】
〔まとめ〕
本発明の態様１に係る携帯端末１は、電気信号を音に変換するために筐体２に配置された音響変換器（音響部品３）と、前記音響変換器（音響部品３）の後面を覆うように前記筐体２に配置された後面蓋体４と、前記後面蓋体４と共に前記音響変換器（音響部品３）の後気室５を構成するように前記筐体２に形成されたリブ６と、前記リブ６に対して前記音響変換器（音響部品３）と反対側に配置されて前記音響変換器（音響部品３）に前記電気信号を供給する回路基板７とを備えている。
【００２４】
上記の構成によれば、後面蓋体と共に音響変換器の後気室を構成するように筐体に形成されたリブに対して音響変換器と反対側に配置されて音響変換器に電気信号を供給する回路基板が設けられる。このため、密閉された後気室を回路基板と分離することができる。従って、音響変換器と回路基板とが積層されない。この結果、音響変換器の後気室を有する携帯端末の薄型化が容易になる。
【００２５】
本発明の態様２に係る携帯端末１は、上記態様１において、前記音響変換器（音響部品３）と前記回路基板７とに接続された配線材９をさらに備えてもよい。
【００２６】
上記の構成によれば、回路基板から音響変換器に電気信号を簡単な構成で供給することができる。
【００２７】
本発明の態様３に係る携帯端末１は、上記態様２において、前記配線材９を通すための切欠き８が前記リブ６に形成されてもよい。
【００２８】
上記の構成によれば、配線材を通すためのリブの切欠きにより、リブに対して音響変換器と反対側に配置され回路基板と、音響変換器とを配線材により容易に接続することができる。
【００２９】
本発明の態様４に係る携帯端末１は、上記態様３において、前記切欠き８を塞ぐ弾性部材１０をさらに備え、前記配線材９を通すためのスリット１１が前記弾性部材１０に形成されてもよい。
【００３０】
上記の構成によれば、弾性部材の弾性により、弾性部材のスリット内の配線材と弾性部材との間の隙間が封止されるので、配線材が通る切欠きを弾性部材により有効に塞ぐことができる。
【００３１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００３２】
１  携帯端末
２  筐体
３  音響部品（音響変換器）
４  後面蓋体
５  後気室
６  リブ
７  回路基板
８  切欠き
９  配線材
１０  弾性部材
１１  スリット
１２  前面蓋体
１３  音道
１４  表示ユニット
１５  接着部材
【図１】
2018064217.tif 000003
【図２】
2018064217.tif 000004
【図３】
2018064217.tif 000005
【図４】
2018064217.tif 000006
【図５】
2018064217.tif 000007